(57)【要約】      （修正有）【課題】洗浄または、すすぎ工程中に、排気口から漏出する蒸気による全面パネルや、システムキッチンのワークトップへの結露を防止することができる食器洗い器を提供する。【解決手段】洗浄槽１６内に設けられた洗浄ノズル２０と、洗浄槽１６内の空気を排気経路２７を通じて外部に排出する第１の送風手段２２と、排気経路２７と連通する送風経路２９を通じて外気を排気経路２７に送る第２の送風手段２８と、洗浄〜乾燥の各行程を制御する制御手段３１とを備え、洗浄行程とすすぎ行程の少なくとも一方において、第２の送風手段２８と第１の送風手段２２を運転するもので、洗浄またはすすぎ行程中に漏出する蒸気による前面パネル２５や、システムキッチン４０のワークトップ４０ａへの結露を防止し、第２の送風手段２８により送られる外気の一部が、洗浄槽１６内の蒸気を押し出し、蒸気が第１の送風手段２２に流入又は、機外に漏出するのを防止することができる。【選択図】図１
2007313176.tif 000002
【特許請求の範囲】
【請求項１】
食器洗い機本体内に設けた洗浄槽と、前記洗浄槽内に回転自在に設けられ食器類を洗浄する洗浄ノズルと、前記洗浄槽内の空気を排気経路を通じて外部に排出する第１の送風手段と、前記排気経路と連通する送風経路を通じて外気を前記排気経路に送る第２の送風手段と、洗浄、すすぎ、乾燥の各行程を逐次制御する制御手段とを備え、洗浄行程とすすぎ行程の少なくとも一方において、前記第２の送風手段を運転すると共に、前記第１の送風手段も運転するようにした食器洗い機。
【請求項２】
第１の送風手段の運転時間を、第２の送風手段の運転時間より短くした請求項１に記載の食器洗い機。
【請求項３】
第１の送風手段を間欠運転する請求項２に記載の食器洗い機。
【発明の詳細な説明】
【技術分野】
【０００１】
本発明は、食器等の洗浄および乾燥を行う食器洗い機に関するものである。
【背景技術】
【０００２】
従来、この種の食器洗い機は、図２に示すように構成されていた。以下、その構成について説明する。
【０００３】
図２に示すように、システムキッチン４０に収容された食器洗い機本体１内に設けた洗浄槽２は、上方に開口部３を設け、食器類４を収容する食器かご５を配置している。食器かご５の下方には、洗浄ノズル６を回転自在に設けており、洗浄槽２内に溜めた洗浄水をポンプ７によって循環させ、洗浄ノズル６より噴射して食器類４を洗浄する。
【０００４】
また、洗浄槽２の前方に設けられた前面パネル８の上部には、排気口９が設けられ、送風手段１０によって洗浄槽２内の空気を、排気口９より機外へ排出して食器類４の乾燥を行う。
【０００５】
洗浄槽２の側部には、第１のレール１１が固定され、その第１のレール１１は、食器洗い機本体１に固定した第２のレール１２によって、前後方向へ平行移動可能に支持されている。食器類４の洗浄槽２への出し入れを行う際には、前面パネル８に設けられたハンドル１３をつかみ、洗浄槽２を前方に引き出し、上方の開口部３より食器類４の収容をする。次に洗浄槽２を食器洗い機本体１に戻し、運転を開始すると、洗浄槽２の底部に配置されたヒータ１４で洗浄水を加熱しながら、洗浄ノズル６から食器類４に向かって噴射し、食器類４の汚れを落とす洗浄行程を行う。その後、食器類４をすすいだ後、乾燥行程を行って運転を終了する（例えば、特許文献１参照）。
【特許文献１】特開２００１−０４６３０１号公報
【発明の開示】
【発明が解決しようとする課題】
【０００６】
しかしながら、このような従来の食器洗い機の構成では、前面パネル８に設けられた排気口９は、乾燥工程終了後も、洗浄槽２内が結露しないように常時開放しているため、洗浄およびすすぎ工程において、洗浄槽２内の水温が上昇したとき、蒸気が排気口９より漏出する。この漏出した蒸気は、雰囲気温度が低い場合、蒸気が漏出する排気口９周辺との温度差により、排気口９のある前面パネル８や食器洗い機本体１が収納されるシステムキッチン４０のワークトップ４０ａの前方下部に結露しやすく、それが床に滴下したり、ユーザーがキッチンを移動したときに、雫がユーザーの衣類などに付着するという課題を有していた。
【０００７】
また、この結露水が床に滴下しないように、排気口９の下部に受け部を設けることもできるが、そうすると受け部が前方に突出するため、ユーザーがキッチンを移動する際に邪魔になるという課題を有していた。
【０００８】
本発明は、上記従来の課題を解決するもので、洗浄または、すすぎ行程中に、洗浄槽内の水温が上昇し、排気口から漏出する蒸気による前面パネルや、システムキッチンのワークトップへの結露を防止すると共に、蒸気が第１の送風手段に流入または、機外に漏出することのない食器洗い機を提供することを目的としている。
【課題を解決するための手段】
【０００９】
上記従来の課題を解決するために、本発明の食器洗い機は、食器洗い機本体内に設けた洗浄槽と、前記洗浄槽内に回転自在に設けられ食器類を洗浄する洗浄ノズルと、前記洗浄槽内の空気を排気経路を通じて外部に排出する第１の送風手段と、前記排気経路と連通する送風経路を通じて外気を前記排気経路に送る第２の送風手段と、洗浄、すすぎ、乾燥の各行程を逐次制御する制御手段とを備え、洗浄行程とすすぎ行程の少なくとも一方において、前記第２の送風手段を運転すると共に、前記第１の送風手段も運転するようにしたもので、洗浄または、すすぎ行程中に、洗浄槽内の水温が上昇し、排気口から漏出する蒸気による前面パネルや、システムキッチンのワークトップへの結露を防止すると共に、第２の送風手段により外気を送風する際に、一部の外気が、送風経路と連通する排気経路を介し、洗浄槽内の蒸気を押し出し、蒸気が第１の送風手段に流入または、機外に漏出するのを防止することができる。
【発明の効果】
【００１０】
本発明の食器洗い機は、洗浄または、すすぎ行程中に、洗浄槽内の水温が上昇し、排気口から漏出する蒸気による前面パネルや、システムキッチンのワークトップへの結露を防止すると共に、第２の送風手段により外気を送風する際に、一部の外気が、送風経路と連通する排気経路を介し、洗浄槽内の蒸気を押し出し、蒸気が第１の送風手段に流入または、機外に漏出するのを防止することができる。
【発明を実施するための最良の形態】
【００１１】
第１の発明は、食器洗い機本体内に設けた洗浄槽と、前記洗浄槽内に回転自在に設けられ食器類を洗浄する洗浄ノズルと、前記洗浄槽内の空気を排気経路を通じて外部に排出する第１の送風手段と、前記排気経路と連通する送風経路を通じて外気を前記排気経路に送る第２の送風手段と、洗浄、すすぎ、乾燥の各行程を逐次制御する制御手段とを備え、洗浄行程とすすぎ行程の少なくとも一方において、前記第２の送風手段を運転すると共に、前記第１の送風手段も運転するようにしたもので、洗浄または、すすぎ行程中に、洗浄槽内の水温が上昇し、排気口から漏出する蒸気による前面パネルや、システムキッチンのワークトップへの結露を防止すると共に、第２の送風手段により外気を送風する際に、一部の外気が、送風経路と連通する排気経路を介し、洗浄槽内の蒸気を押し出し、蒸気が第１の送風手段に流入または、機外に漏出するのを防止することができる。
【００１２】
第２の発明は、特に、第１の発明の第１の送風手段の運転時間を、第２の送風手段の運転時間より短くしたもので、第１の送風手段の送風能力を低下させ、第２の送風手段による外気が排気経路に流入する風量に対し、第１の送風手段による風量を抑え、洗浄槽内の湿った空気が排気経路から外部へ漏出するのを防止することができる。
【００１３】
第３の発明は、特に、第２の発明の第１の送風手段を間欠運転するもので、第１の送風手段による風量を容易に調整することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における食器洗い機の側断面図である。
【００１６】
図１に示すように、システムキッチン４０に収容された食器洗い機本体１５の内部に設けた洗浄槽１６は、上方に開口部１７を有し、食器類１８を収容する食器かご１９を配置している。食器かご１９の下方には、洗浄水を噴射する洗浄ノズル２０を回転自在に設けるとともに、洗浄槽１６内に溜めた洗浄水を洗浄ノズル２０を介して循環するポンプ２１を設けている。また、底部には洗浄水と第１の送風手段２２によって送風される空気とを加熱するヒータ２３を配設している。
【００１７】
排気口２４は、洗浄槽１６の前方に設けた前面パネル２５と洗浄槽１６との間に配設され、第１の送風手段２２によって洗浄槽１６内の空気を排気口２４より排気するよう構成するとともに、洗浄槽１６の上方に配置している。また、外気と連通する開口２６は、前面パネル２５の後方に設けられ、排気口２４と開口２６は排気経路２７で連通されている。
【００１８】
２８は、第１の送風手段２２とほぼ同じ能力を有すると共に、図示しない開口部より外気を取り入れる第２の送風手段である。２９は、前面パネル２５の後方に配設され、第２の送風手段２８と排気経路２７とを連通する送風経路で、その下流側は、排気経路２７と前後方向で面接触するよう配設されている。上記構成により、第２の送風手段２８を運転すると、外気が排気経路２７に送られ、開口２６で、洗浄槽１６内から排出された空気と外気が混合される。
【００１９】
また、洗浄槽１６の下部には、洗浄水の温度を検知する温度検知手段３０が設けられ、洗浄・すすぎ・乾燥工程を逐次制御する制御手段３１は、温度検知手段３０からの信号によって第１の送風手段２２、第２の送風手段２８の運転時間を制御すると共に、洗浄・すすぎ工程で、温度検知手段３０によって、洗浄槽１６が一定の温度（例えば４０℃）に達したのが検知されると、第２の送風手段２８を運転すると共に第１の送風手段２２も運転する。
【００２０】
このとき、第１の送風手段２２の風量が、第２の送風手段２８の風量より少なくなるよう、第１の送風手段２２を間欠運転するように制御している。
【００２１】
また、洗浄槽１６の側方には、第１のレール３２を固定しており、第１のレール３２は食器洗い機本体１５に固定した第２のレール３３によって前後方向へ平行移動可能に支持されている。食器類１８の出し入れを行う際には、前面パネル２５に設けられたハンドル３４をつかんで洗浄槽１６を前方に引き出し、上方の開口部１７より食器類１８の取り出し、収容を行う。
【００２２】
上記のように構成された本実施の形態における食器洗い機の動作、作用は以下の通りである。
【００２３】
まず、使用者が前面パネル２５に設けたハンドル３４をつかみ洗浄槽１６を食器洗い機本体１５から引き出し、洗浄槽１６内に配置した食器かご１９に汚れた食器類１８をセットする。次に洗浄槽１６を食器洗い機本体１５に戻し、運転を開始すると、洗浄槽１６内底に配置されたヒータ２３で洗浄水を加熱しながら、洗浄ノズル２０から食器類１８に向かって噴射し、食器類１８の汚れを落とす洗浄工程を行う。その後、数回の溜めすすぎを行った後、ヒータ２３によって約８０℃に加熱しながらすすぐ、加熱すすぎ工程を行った後、ヒータ２３によって空気を加熱しながら、第１の送風手段２２によって水分を多く含んだ加熱空気を排気口２４より排出しつつ、食器類１８および洗浄槽１６内部を乾かす乾燥工程を行って運転を終了する。
【００２４】
洗浄および加熱をするすすぎ工程において、洗浄槽１６内の温度が上昇するにつれて洗浄槽１６の上方に配置された排気口２４から蒸気が漏出する。このとき、温度検知手段３０により蒸気が発生する洗浄水温（約４０℃）を検知し、蒸気が排気経路２７を通過し、開口２６に向かう途中、第２の送風手段２８によって導入された、洗浄槽１６外の乾いた空気を混合することで、前面パネル２５や、システムキッチン４０のワークトップ４０ａへの結露を防止することができる。
【００２５】
また、第２の送風手段２８を運転する際に、第１の送風手段２２を運転することで、第２の送風手段２８による送風の一部が、送風経路２９から排気経路２７へ流入し、洗浄槽１６の湿った空気を押し出し、第１の送風手段２２への流入または機外へ逆流するのを防止することができる。
【００２６】
また、第１の送風手段２２の運転時間が、第２の送風手段２８の運転時間より短くなるよう制御することにより、第１の送風手段２２の送風能力を低下させ、第２の送風手段２８による外気が、排気経路２７に流入する風量に対し、第１の送風手段２２による風量を抑え、洗浄槽１６内の湿った空気が排気経路２７から開口２６へ漏出するのを防止することができる。
【００２７】
また、第１の送風手段２２による風量は、制御手段３１によって間欠運転をすることで容易に風量を調整することができる。
【００２８】
なお、本実施の形態では、第１の送風手段２２を間欠運転することで、風量調整を行っているが、インバータ制御等を用いて、回転数を変化させて風量調整しても、同様の効果が得られる。
【００２９】
また、第２の送風手段２８は、連続運転すればよいが、結露を防止するために必要なだけの風量を間欠運転によって制御しても良く、洗浄水の温度が高くなるにつれて運転時間を長くし、風量を増すことで対応することもでき、その際も同様に第２の送風手段２８の風量より第１の送風手段２２の風量を少なくするべく、運転時間を制御すればよい。
【００３０】
以上のように、本実施の形態によれば、食器洗い機本体１５内に設けた洗浄槽１６と、前記洗浄槽１６内に設けた洗浄ノズル２０と、前記洗浄槽１６内の空気を、排気経路２７を通じて排気口２４より機外に排出する第１の送風手段２２と、前記排気経路２７を通じて排出される空気に、送風経路２９を通じて外気を混入させる第２の送風手段２８と、洗浄、すすぎ、乾燥の各行程を逐次制御する制御手段３１とを備え、前記制御手段３１は、洗浄行程とすすぎ行程の少なくとも一方において、前記第２の送風手段２８の運転中に第１の送風手段２２も運転するよう制御することにより、洗浄または、すすぎ行程中に、洗浄槽１６内の水温が上昇し、排気口２４から漏出する蒸気による前面パネル２５や、システムキッチン４０のワークトップ４０ａへの結露を防止すると共に、第２の送風手段２８により外気を送風する際に、一部の外気が送風経路２９と連通する排気経路２７を介し、洗浄槽１６内の蒸気を押し出し、蒸気が第１の送風手段２２に流入または、機外に漏出するのを防止することができる。
【００３１】
また、制御手段３１は、第１の送風手段２２の運転時間が第２の送風手段２８の運転時間より短くなるよう制御することにより、第１の送風手段２２の送風能力を低下させ、第２の送風手段２８による外気が排気経路２７に流入する風量に対し、第１の送風手段２２による風量を抑え、洗浄槽１６内の湿った空気が排気経路２７から開口２６へ漏出するのを防止することができる。
【００３２】
また、制御手段３１は、第１の送風手段２２を間欠運転制御することにより、第１の送風手段２２による風量を容易に調整することができる。
【産業上の利用可能性】
【００３３】
以上のように、本発明にかかる食器洗い機は、機外に漏出する蒸気によりシステムキッチンへの結露等の発生を防止することができるもので、食器洗い機に限らず、蒸気を発生させる機能を有すると共にシステムキッチンに組み込まれる各種機器に適用できる。
【図面の簡単な説明】
【００３４】
【図１】本発明の実施の形態１における食器洗い機の側断面図
【図２】従来の食器洗い機の側断面図
【符号の説明】
【００３５】
１６  洗浄槽
２０  洗浄ノズル
２２  第１の送風手段
２４  排気口
２５  前面パネル
２７  排気経路
２８  第２の送風手段
２９  送風経路
３０  温度検知手段
３１  制御手段
４０  システムキッチン
４０ａ  ワークトップ
【図１】
2007313176.tif 000003
【図２】
2007313176.tif 000004